Podtech/llm-jp-corpus-v4-ja_patent huggingface dataset:
(57)【要約】【課題】本考案は走行面に段差や凸凹がある個所を走行する際、荷台に生じる振動を軽減する台車を提供する。【解決手段】台車の下面に取付けられた左右対称のキャスターの位置を前後にずらす事で走行面にできた段差や凸凹を走行する際、左右のキャスターが順番に段差や凸凹に侵入するため荷台にかかる振動を抑える事ができる。【選択図】図２
0003210907.tif 000002
【実用新案登録請求の範囲】
【請求項１】
物品を載せるための荷台と、地面を走行するためのキャスターを有する走行手段とからなる台車であって、下面に取付けられた対になるキャスターの位置が左右対称とならないことを特徴とする台車。
【考案の詳細な説明】
【技術分野】
【０００１】本考案は台車に関するものである。さらに詳しくは、屋内外における荷物の運搬等に使用される台車に関する。
【背景技術】
【０００２】例えば飲食店においてお客様に配膳する場合、食事を載せたトレーを配膳車内に多数収容し、配膳車を走行させて配達する。このような配膳車は、通常、４個のキャスターをその下端の４隅にそれぞれ有しているため、床面上を転動させることによって前後左右いずれの方向にも移動させることができる。
【考案の概要】
【考案が解決しようとする課題】
【０００３】従来の配膳車に使用されているキャスターの位置は、下端の４隅、左右対称に車輪が設けられている。このため、走行面によってできた段差に当たると配膳車が振動してしまう。すると、汁椀等に入れた液体物が溢れたりお皿等の陶器、またグラスなどのガラス製品が振動で壊れてしまったりする可能性があるという問題がある。
【課題を解決するための手段】
【０００４】左右対称に設置されたキャスターの位置を前後にずらし、左右対称とならなくする。
【考案の効果】
【０００５】本考案によれば走行面によってできた段差や凸凹を走行する際、左右のキャスターが順番に段差や凸凹に侵入するため荷台にかかる振動を抑える事ができる。
【図面の簡単な説明】
【０００６】
【図１】本考案の構造を表す上面図である
【図２】本考案の構造を表す底面図である
【図３】本考案の構造を表す正面図である
【図４】本考案の構造を表す背面図である
【図１】
0003210907.tif 000003
【図２】
0003210907.tif 000004
【図３】
0003210907.tif 000005
【図４】
0003210907.tif 000006
【手続補正書】
【提出日】平成29年3月30日(2017.3.30)
【手続補正１】
【補正対象書類名】実用新案登録請求の範囲
【補正対象項目名】全文
【補正方法】変更
【補正の内容】
【実用新案登録請求の範囲】
【請求項１】
物品を載せるための荷台と、地面を走行するためのキャスターを有する走行手段とからなる台車であって、走行時の段差や凸凹に侵入の際、台車下面に取付けられたキャスターの左右の位置を前後ずらすことによりキャスターが順番に段差や凸凹に侵入することを特徴とする台車。
(57)【要約】      （修正有）【課題】Ｙシャツの襟元を閉じる襟開き防止用止め具を提供する。【解決手段】透明な糸により形成された開いた楕円状のフック２の一方に球状のつまみ３を、もう一方に丸い形状のボタン４を、それぞれ取り付けた。【選択図】図１
0003210905.tif 000002
【実用新案登録請求の範囲】
【請求項１】
襟のボタン穴に止め易い様に、透明な糸が図１の２で示す開いた楕円状と、図１の３で示す球状のつまみが一体となった形状。
【考案の詳細な説明】
【技術分野】
【０００１】  本考案は、Ｙシャツの襟の首元が閉じない開き状態を、閉じるために設けた、止め具に関するものである。
【背景技術】
【０００２】  従来は、襟のボタンが閉じないＹシャツを着用した場合、又は襟がよれてきた時は、襟が開く状態となる。
【考案の開示】
【考案が解決しようとする課題】
【０００３】  背景技術で述べた問題の解決として、襟が開き首元が寒い場合は、マフラー等で覆うこととなるが経済的負担も大きく、またマフラー等を着用しない場合は、置く場所も必要となる。
さらに、襟の首元が大きく開いた状態では、だらしなく見える。従って、襟開き防止用止め具を使用することにより、襟の首元の閉まりが可能となり、前述の欠点を解決しようとするものである。
【課題を解決するための手段】
【０００４】  本考案は、透明な糸に、片方は首元のボタンを止めるフックを設け、さらにその反対の方向には襟のボタン穴に入れるボタンを設け、両方を止めることによって、Ｙシャツの襟の首元の開きを防止することにより問題を解決している。
【考案の効果】
【０００５】  上述の様に、本考案は襟が閉じないＹシャツの開きを、閉じることが出来る効果が有る。またクールビズでネクタイを締めなくなった昨今、襟がよれて開き、襟がだらしない状態を止めることにより爽やかに見せる効果がある。さらに冬季は首元の開いた状態を止めることにより、寒さ防止として役立つ。
【考案を実施するための最良の形態】
【０００６】  以下、添付図面に従って最良の形態を説明する。
１は耐久性のある透明なプラスチック製等適宜素材で、糸状に形成されたフックとする。２は襟のボタン穴に止め易い様に透明な糸状のフックを、楕円状に開いた形状とする。３は襟のボタンからフックを外す時に、フックの端が判り、更につかみ易い様に設けた球状のつまみとする。４は襟のボタン穴に入れ易い様に、透明なプラスチック製等適宜素材で、丸い形状のボタンとする。
【実施例】
【０００７】  以下、添付図面に従って実施例を説明する。
襟開き防止具図１の２のフックを襟のボタンに引っ掛ける。一方図１の４の丸い形状のボタンを、襟のボタン穴に差し込むことにより、Ｙシャツの襟部の両サイトが止まることとなる。
【産業上の利用可能性】
【０００８】  本考案は、襟が閉じないＹシャツの開きを閉じることが出来ることから、クールビズでネクタイを締めなくなった昨今、襟がよれて開き襟がだらしない状態を、止めることにより爽やかに見せる。また冬季は首元の開いた状態を止めることにより寒さを防止することから、生活上の利用の可能性がある。
【図面の簡単な説明】
【０００９】
【図１】本考案の襟開き防止用止め具を示した正面図である。
【符号の説明】
【００１０】１  透明な糸状に形成されたフック
２  透明な糸状のフックを、楕円状に開いた形状
３  球状のつまみ
４  丸い形状のボタン
【図１】
0003210905.tif 000003
【手続補正書】
【提出日】平成29年3月21日(2017.3.21)
【手続補正１】
【補正対象書類名】実用新案登録請求の範囲
【補正対象項目名】全文
【補正方法】変更
【補正の内容】
【実用新案登録請求の範囲】
【請求項１】
透明な糸により形成された、開いた楕円状のフックの一方に球状つまみを、もう一方に丸い形状のボタンを、それぞれ取り付けてなる襟開き防止用止め具。
【手続補正２】
【補正対象書類名】明細書
【補正対象項目名】０００９
【補正方法】変更
【補正の内容】
【０００９】
【図１】本考案の襟開き防止用止め具を示した正面図である。
【図２】襟開き防止用止め具で止めた状態図である。
【手続補正３】
【補正対象書類名】図面
【補正対象項目名】図２
【補正方法】追加
【補正の内容】
【図２】
0003210905.tif 000004
(57)【要約】      （修正有）【課題】老化と共に毛髪が抜け落ちるのを阻止し、毛髪の再生を目的とした発毛磁気ブラシを提供する。【解決手段】ブラシ１の毛束２と毛束２の間３に永久磁石４を装着したブラシである。【選択図】図１
0003210906.tif 000002
【実用新案登録請求の範囲】
【請求項１】
ブラシの毛束と毛束の間に複数の永久磁石を装着したものである。
【考案の詳細な説明】
【技術分野】
【０００１】本考案は発毛を促す永久磁石付きブラシである
【背景技術】
【０００２】年齢による頭髪の脱毛，及び薄毛等の改善策は主に育毛剤など薬剤によるものとマッサージによるものである。
【考案の概要】
【考案が解決しようとする課題】
【０００３】頭皮マッサージによる主なものは手指によるものと、ブラシによるものがあり、共にそれなりに効果があるものではあるが顕著な効果が認められるものではなく、本考案はブラシの刺激と共に磁力を頭皮に与え、より、顕著な発毛を促進させることを目的とする。
【課題を解決するための手段】
【０００４】ブラシ（１）の毛束（２）と毛束（２）の間（３）に永久磁石（４）を装着したものである。
【考案の効果】
【０００５】ブラシに装着した永久磁石の磁力とブラシの毛による毛根への刺激により血流が促進され、より発毛を促すものである。
【図面の簡単な説明】
【０００６】
【図１】  本考案の斜視図である。
【考案を実地するための形態】
【０００７】ブラシ（１）の毛束（２）と毛束（２）の間（３）部分に永久磁石（４）を装着したものであり、そのブラシ（１）で頭皮をブラッシング又は、叩く事と永久磁石（４）の磁気による刺激との、二つの刺激を毛根に与え、より、血流が増大し、発毛を促す事を目的とする。
【産業上の利用可能性】
【０００８】毛髪が薄くなることにより周囲の目線が気になる為、物事への積極性が多少なりとも衰退する、本考案のブラシを使用し、毛髪を増やす事で自信を持てるようになり、積極性も回復出来るようになる。
【符号の説明】
【０００９】１      ブラシ
２      毛束
３      毛束間
４      永久磁石
【図１】
0003210906.tif 000003
【手続補正書】
【提出日】平成29年3月22日(2017.3.22)
【手続補正１】
【補正対象書類名】実用新案登録請求の範囲
【補正対象項目名】全文
【補正方法】変更
【補正の内容】
【実用新案登録請求の範囲】
【請求項１】
ブラシの毛束と毛束の間に複数の永久磁石を装着した事を特徴とする発毛磁気ブラシ
(57)【要約】      （修正有）【課題】アクセルペダルの誤操作による車両の暴走を防止し、危険を察知した運転者が無意識のうちに左足を踏ん張る動作により車速を減ずることができるフットレストを提供する。【解決手段】制御ペダルとしての機能を併せ持つフットレスト１の踏み込み部２をクラッチペダル３踏み込み面の位置まで拡大することにより、運転者が違和感なく常に左足を置ける状態にし、運転者がアクセルペダル５の誤操作により危険を察知して左足を踏ん張ることによりフットレスト１の踏み込み量に合わせて車両の減速方向への制御を行う。【選択図】図１
0003210911.tif 000002
【実用新案登録請求の範囲】
【請求項１】
オートマチックトランスミッシ車等クラッチを装備していない車両のフットレストの踏み込み部面積を、マニュアルミッション車のクラッチペダルの踏み込み面の位置まで拡大することにより、通常走行時に常に左足を置ける形状とする。
【請求項２】
通常走行時はフットレストとしての機能のみを持つが、規定値以上の力で踏み込んだ時のみに可動する操作ペダルの機能を持たせ、踏み込み量に応じてアクセルペダルの操作により本来得られる車両の加速を段階的に減少させる、更に踏み込み続けた場合にはアクセルペダルの操作を無効化して車両に最大限の減速を行わせる。
【考案の詳細な説明】
【技術分野】
【０００１】
本考案は、アクセルペダル誤操作により発生する車両暴走事故を防止する考案である。
【背景技術】
【０００２】
アクセルペダルの誤操作による車両の暴走が発生した場合、予期せぬ加速を体感することによるパニック状態に怠り、アクセルペダルの踏み力を減ずる事は不可能となる
【考案の概要】
【考案が解決しようとする課題】
【０００３】
運転者に減速側への加速度を体感させる事によりパニック状態から解放して正常な判断力を取り戻させ、運転者自らの操作により車両の暴走を回避させようとするものである。
【課題を解決するための手段】
【０００４】
オートマチックトランスミッシ車等クラッチを装備していない車両のフットレストの踏み込み部面積を、マニュアルミッション車のクラッチペダルの踏み込み面の位置まで拡大することにより、クラッチ付きの車両に乗り慣れた運転者も違和感無く左足を置ける様にする。
【０００５】
通常走行時はフットレストとしての機能のみを持つが、規定値以上の力で踏み込んだ時のみに可動する操作ペダルの機能を持たせ、下記表1に動作の一例を示すが、踏み込み量に応じてアクセルペダルの操作により本来得られる出力を段階的に減少させると共に、変速機の高速側への変速を制限する、更に踏み込み続けた場合にはアクセルペダルの操作を無効化すると共に変速機を低速側に変速することによりエンジンブレーキを最大限に発生させる事が出来る。
【表１】
0003210911.tif 000003
【考案の効果】
【０００６】
フットレストの踏み込み部をクラッチペダル取り付け位置まで拡大することにより運転者が常に左足を置く運転姿勢になり、運転者のアクセルペダル誤操作を原因とする車両の暴走が起きた時、運転者が危険を察知して無意識に左足を踏ん張ることによりフットレストを踏み込む操作が出来る。踏み込み量に応じて車両の加速動作を減少させる事により衝突時の衝撃を減ずると共に、パニック状態に怠っている運転者が減速側への加速度を体感することにより正常な判断を行う為の精神的な余裕が出来る。この結果アクセルペダルの誤操作による事故の被害を最小限に留めることが出来る。
【図面の簡単な説明】
【０００７】
【図１】本考案の可動式フットレスト踏み込み部面積拡大の一実施例を示す操作ペダル配置図である。
【符号の説明】
【０００８】
1  踏み込み部面積を拡大した状態の可動式フットレスト
2  一般的なサイズのフットレスト
3  マニュアルミッション車両のクラッチペダル
4  ブレーキペダル
5  アクセルペダル
【図１】
0003210911.tif 000004
【手続補正書】
【提出日】平成29年3月30日(2017.3.30)
【手続補正１】
【補正対象書類名】実用新案登録請求の範囲
【補正対象項目名】請求項１
【補正方法】変更
【補正の内容】
【請求項１】
オートマチックトランスミッション車等クラッチを装備していない車両のフットレストの踏み込み部面積を、マニュアルミッション車のクラッチペダルの踏み込み面の位置まで拡大することにより、通常走行時に常に左足を置ける形状を特徴とするフットレスト。
【手続補正２】
【補正対象書類名】実用新案登録請求の範囲
【補正対象項目名】請求項２
【補正方法】変更
【補正の内容】
【請求項２】
通常走行時はフットレストとしての機能のみを持つが、規定値以上の力で踏み込んだ時のみに可動する操作ペダルの機能を持たせ、踏み込み量に応じてアクセルペダルの操作により本来得られる車両の加速を段階的に減少させる、更に踏み込み続けた場合にはアクセルペダルの操作を無効化して車両に最大限の減速を行わせる制御機能を特徴とする請求項１に記載のフットレスト。
(57)【要約】      （修正有）【課題】ナップザックの細い肩紐に装着し、重いものを背負う際に細い背負い紐が肩に食い込むことを回避する着脱式ナップザック背負い紐補助具を提供する。【解決手段】ナップザックの細い肩紐に容易に着脱できてナップザック折りたたみ時に支障とならない幅広の柔軟な素材１を紐固定具２により装着し、重いものを背負う際に細い背負い紐が肩に食い込むことを回避する。【選択図】図１
0003210933.tif 000002
【実用新案登録請求の範囲】
【請求項１】
幅広の柔軟な素材をナップザックの細い肩紐に装着し、肩紐が人体の肩から胸部にかけて触れる部分の幅を広く保って、細紐のナップザックでも幅広の肩紐を有する背負い袋と同様に荷物を背負うことを可能にする着脱式ナップザック背負い紐補助具。
【請求項２】
幅広の柔軟な素材をナップザックの細い肩紐に装着し、肩紐が人体の肩から胸部にかけて触れる部分の幅を広く保って、細紐のナップザックでも幅広の肩紐を有する背負い袋と同様に荷物を背負うことを可能にするために、一つ又は複数の紐固定具を設けた請求項１の着脱式ナップザック背負い紐補助具。
【請求項３】
幅広の柔軟な素材をナップザックの細い肩紐に装着し、肩紐が人体の肩から胸部にかけて触れる部分の幅を広く保って、細紐のナップザックでも幅広の肩紐を有する背負い袋と同様に荷物を背負うことを可能にするために、左右開閉部を設けた請求項１の着脱式ナップザック背負い紐補助具。
【考案の詳細な説明】
【技術分野】
【０００１】      本考案は、幅広の柔軟な素材を用いた、ナップザック背負い紐補助具に関するものである。
【背景技術】
【０００２】      ナップザックは、布袋の口を紐で絞ってくくり、その紐が背負い紐となるので、布袋の口を締めるのに適する程度の細さが必要であり、当該細い紐がそのまま背負い紐となっていた。
【考案の概要】
【考案が解決しようとする課題】
【０００３】      ナップザックはその形状から来る制約のため、細い背負い紐が使用され、重いものを背負うと細い背負い紐が肩に食い込んで苦痛を与えていた。紐全体を太くすると布袋の口を締めるのに適さず、肩に接する部分だけを太くすると製造コストが上昇するばかりでなく、幅広の背負い紐が障害となってナップザック特有の折りたたみに適する特性が失われるという課題があった。
【課題を解決するための手段】
【０００４】    本考案は、幅広の柔軟な素材をナップザックの細い肩紐に装着し、肩紐が人体の肩から胸部にかけて触れる部分の幅を広く保って、細紐のナップザックでも幅広の肩紐を有する背負い袋と同様に荷物を背負うことを可能にすることにより問題点を解決している。【０００５】    本考案は、幅広の柔軟な素材をナップザックの細い肩紐に装着し、肩紐が人体の肩から胸部にかけて触れる部分の幅を広く保って、細紐のナップザックでも幅広の肩紐を有する背負い袋と同様に荷物を背負うことを可能にするために、一つ又は複数の紐固定具を設けることにより問題点を解決している。【０００６】    本考案は、幅広の柔軟な素材をナップザックの細い肩紐に装着し、肩紐が人体の肩から胸部にかけて触れる部分の幅を広く保って、細紐のナップザックでも幅広の肩紐を有する背負い袋と同様に荷物を背負うことを可能にするために左右開閉部を設けることにより問題点を解決している。
【考案の効果】
【０００７】    上述のように、本考案の着脱式ナップザック背負い紐補助具は、幅広の柔軟な素材が肩に当たることにより重いものを背負っても紐が肩に食い込むことがないことは勿論、着脱式であるので、ナップザックを折りたたむ時には取り外して別に持ち運ぶことにより、折りたたみ時の支障になることもない。
【図面の簡単な説明】
【０００８】
【図１】本考案の着脱式ナップザック背負い紐補助具着用のための固定時の一実施例を示す正面図である。
【図２】本考案の着脱式ナップザック背負い紐補助具に一つ又は複数の紐固定具を設けることによりナップザックの背負い紐に着脱する一実施例を示す俯瞰図である。
【図３】本考案の着脱式ナップザック背負い紐補助具に左右開閉部を設けることによりナップザックの背負い紐に着脱する一実施例を示す俯瞰図である。
【考案を実施するための形態】
【実施例１】
【０００９】添付図面に従って一実施例を説明する。１は厚手の布又はゴム等の適宜の素材で作られた着脱式ナップザック背負い紐補助具本体で、これに取り付けられた紐固定具２にナップザックの紐を通して着脱式ナップザック背負い紐補助具を背負い紐に固着させる。
【実施例２】
【００１０】添付図面に従って一実施例を説明する。１は厚手の布又はゴム等の適宜の素材で作られた着脱式ナップザック背負い紐補助具本体で、左右開閉部３によってナップザックの紐を包み、マジックテープや金属ホック等適宜の固定用素材４により左右開閉部を固定して着脱式ナップザック背負い紐補助具を背負い紐に固着させる。
【符号の説明】１  着脱式ナップザック背負い紐補助具本体
２  紐固定具
３  左右開閉部
４  マジックテープ等の固定用素材
【図１】
0003210933.tif 000003
【図２】
0003210933.tif 000004
【図３】
0003210933.tif 000005
(57)【要約】【課題】撚れに強く、耐久性を有する和紙を用いて作ったがま口を提供することにある。【解決手段】がま口は開口を有する袋状の本体と、この袋状の本体の開口に取付けた口金とからなる。がま口の袋状の本体は不織布からなる基材で裏打ちされた和紙からなり、この和紙は揉み処理が施されているとともに豆汁が染み込んだものである。【選択図】図２
0003210934.tif 000002
【実用新案登録請求の範囲】
【請求項１】
開口を有する袋状の本体と、前記袋状の本体の前記開口に取付けた口金とからなるがま口であって、
前記袋状の本体は、不織布からなる基材の表面に和紙が接着材で貼り合わされたものからなり、前記和紙は、揉み処理が施されているとともに豆汁が染み込んでおり、当該和紙が前記袋状の本体の表面側にあることを特徴とするがま口。
【考案の詳細な説明】
【技術分野】
【０００１】  この考案は、撚れに強く、耐久性を有する加工和紙シートで構成されたがま口に関する。
【背景技術】
【０００２】  紙幣を入れる財布として、軟質合成樹脂、紙などで矩形扁平紙を素材としたものがすでに提案されている（特許文献１）。
一方、和紙を素材とするがま口が出回っている。この和紙製がま口は、和紙が持っているいろいろな色合いと、いろいろな形にできるという利点を活用できている。【０００３】  しかし、和紙そのもので作られたがま口は、素材の紙が耐久性に乏しいこともあって、使っているうちに破れなどが発生しやすいという課題がある。
【先行技術文献】
【特許文献】
【０００４】
【特許文献１】実公昭３９−１２５９２号
【考案の概要】
【考案が解決しようとする課題】
【０００５】  この考案は、和紙そのものに耐久性を持たせた加工和紙シートで構成されたがま口を提供することを目的とする。
【課題を解決するための手段】
【０００６】  上記目的を達成するために、この考案の要旨とするところは、
開口を有する袋状の本体と、前記袋状の本体の前記開口に取付けた口金とからなるがま口であって、
前記袋状の本体は、不織布からなる基材の表面に和紙が接着材で貼り合わされたものからなり、前記和紙は、揉み処理が施されているとともに豆汁が染み込んでおり、当該和紙が前記袋状の本体の表面側にあることを特徴とするがま口である。
【考案の効果】
【０００７】  この考案のがま口によれば、和紙に接着材で不織布が貼り合わされ、さらにはこの和紙に揉み処理が施されているとともに、豆汁が染み込んでいるので、和紙の強度が増している一方、和紙に柔軟性を持たせており、さらには撚りに強く、耐久性も向上している。【０００８】  また、この考案のがま口によれば、和紙が不織布で裏打ちされているので、口金の開閉頻度が増えても、袋状の本体が短時間で劣化する恐れを解消することができる。
さらに、この考案のがま口によれば、不織布が芯材となるのでがま口の形状を保持しやすくしている。【０００９】  さらにまた、この考案のがま口によれば、和紙が不織布で裏打ちされているとともに、豆汁の浸透で強化されているので、ミシン縫いでも、手縫いでも袋状の本体を作ることができるという効果を有している。
【図面の簡単な説明】
【００１０】
【図１】この考案のがま口に用いる和紙の一部分解斜視図である。
【図２】この考案にかかるがま口の一例を示す斜視図である。
【考案を実施するための形態】
【００１１】  図１にもとづいて、この考案のがま口に用いる和紙を説明する。ここで、和紙は図１に示すように、基材となる不織布１に接着材２で和紙３を貼り合わせたものからなる。なお、接着材２は薄く層状になっており、図１においては接着材２を複数の点で示している。
【００１２】  不織布１は、素材として、例えば、ポリエチレン、ポリプロピレンなどのポリオレフイン系繊維、ポリエチレンテレフタレートなどのポリエステル系繊維、ナイロン６、ナイロン６６などのポリアミド系繊維などがある。これらの素材の１種または２種以上からなる長繊維、短繊維、又はこれらの混合繊維をスパンボンド法、サーマルボンド法、ニードルパンチ法、ウォーターニードル法などにより処理して得られたものである。
【００１３】  不織布１に接着材２で貼り合わされる和紙３の素材としては、楮紙、三椏紙、強制紙、雲竜紙、カス紙、麻紙などがあり、その表面に公知の色柄やパターンが形成されたからなるものである。
【００１４】  この和紙３は予め揉み処理されており、皺が形成されている。また、この和紙３はたんぱく質を含む豆汁を塗布、浸漬するなどの方法で処理し、その後乾燥されたものである。ここで豆汁は、白大豆を水に浸してふやけさせたものをミキサーでスラリー状とし、このスラリーを布でろ過したものである。豆汁で処理、乾燥され、豆汁が染み込んだ和紙はそのものの強度が向上し、染めの色素が定着し易いという効果をもたらす。さらには、和紙３に色柄やパターンを形成するには、型染、板絞め染、絞り染、ローケツ染などにより実施される。図２に示した和紙３は花柄模様を型染したものである。
【００１５】  不織布１に和紙３を貼り合せる接着材としては、でんぷん、デキストリン、米糊、グルコマンナンなどのデンプン系接着材がある。また、ゼラチン、カゼイングルー、大豆グルー、にかわ、アルブミンなどのタンパク質系接着材がある。そのほかに、キチン・キトサンなどの動物系接着材や、セルロース系接着材、リグニン系接着材、タンニン系接着材などがある。
【００１６】  揉み処理と豆汁による加工が施された和紙３は、例えば型絞めで柄を施した和紙１に接着材２を塗り、基材である不織布１が重ねられて裏打ちされる。この状態のものに板材を載置して平面状とし、こののち風乾してこの考案で用いる和紙が作製される。
【００１７】  次に、このように不織布で裏打ちされた和紙を用いたがま口について図２をもとに説明する。
図２において、がま口１０は袋状の本体１１と口金１２とからなる。袋状の本体１１は、和紙１１ａと裏布地１１ｂの各中表を合わせ、縁を縫い合わせて開口を有する袋状に作ったものである。
【００１８】  和紙１１ａは、図１ですでに示したように、基材となる不織布１に接着材２で和紙３を貼り合わせたものからなる。この袋状の本体１１の開口に口金１２を接着材（図示せず）で取付けることによりがま口１０が作られている。
【符号の説明】
【００１９】１        不織布
２        接着材
３        和紙
１０      がま口
１１      袋状の本体
１１ａ    和紙
１１ｂ    裏布地
１２      口金
【図１】
0003210934.tif 000003
【図２】
0003210934.tif 000004
(57)【要約】      （修正有）【課題】マスクの着用目的が専ら着用者本人の病気への感染予防、防寒保温等を目的とするものであり、風邪、インフルエンザ等感染性の病気の患者ではなく、他者に害を及ぼす恐れが無いことを明確に示すことができるマスクを提供する。【解決手段】マスクの口や鼻を覆う外側面１に対して、印刷、接着等の方法により、杉や檜等、針葉樹をモチーフとした画像３を配置することにより、マスクの着用目的が花粉症対策であることを他者に対して明確に知らしめる。これにより、着用者本人からすると、他者に感染症罹患の心配を抱かせる懸念が減じられる。また他者から見ると、花粉症対策としてマスクを着用していることが一目で判別出来、風邪、インフルエンザ等への感染の心配や、不安感、不快感の発生が抑制出来る。【選択図】図１
0003211000.tif 000002
【実用新案登録請求の範囲】
【請求項１】
マスクの口や鼻を覆う外側面１に、杉や檜等、針葉樹をモチーフとした画像３を配置したことを特徴とするマスク
【考案の詳細な説明】
【技術分野】
【０００１】
本考案は、マスクの口や鼻を覆う外側面1に、杉や檜等、針葉樹をモチーフとした画像3を配置したマスクに関するものである。
【背景技術】
【０００２】
マスクは人体の内、顔の一部、鼻や口部分を、衛生または防護目的で覆うものとして広く普及している。具体的には、風邪、インフルエンザ、感染性の病気に対する自らの罹患予防、他者への感染防止、花粉症の発症予防、防寒保温等を目的として実用に供されている。また、最近では、外側面1に様々な意匠を施し、ファッション用品としての利用も観察される。
【０００３】
しかし、前文記載のとおり、マスク着用の用途、目的が多岐に亘ることから、着用している本人以外の他者から見た場合、着用目的の特定が困難であった。
【０００４】
マスクを、自身の衛生のため、あるいは他者の保護のために着用するうえに於いて、この困難は対人的な不都合を引き起こす。
【０００５】
具体的には、マスクの着用目的が感染性の病気の他者への感染防止でなく、着用者本人の花粉症対策、保温防寒等であった場合に於いても、他者から、風邪、インフルエンザ等の感染性の病気の保有者ではないかと推量され、不安感、不快感を抱かせる可能性を生じる。
【０００６】
そこでこの考案は、マスクの着用目的が専ら着用者本人の病気への感染予防、防寒保温等を目的とするものであり、風邪、インフルエンザ等感染性の病気の患者ではなく、他者に害を及ぼす恐れが無いことを明確に示すことを目的とする。
【先行技術文献】
【非特許文献】
【０００７】
【非特許文献１】(非)特許文献ｎ
【考案の概要】
【考案が解決しようとする課題】
【０００８】
解決しようとする問題点は、マスクの着用目的が着用者以外の第三者から見て不明瞭な点である。
【課題を解決するための手段】
【０００９】
本考案は、印刷、接着等の方法により、マスクの口や鼻を覆う外側面１の一部または全面に対して１本ないし複数の、杉や檜等、針葉樹をモチーフとした画像を配置することを特徴とする。
【考案の効果】
【００１０】
本考案による、杉や檜等、針葉樹をモチーフとした画像３を配置したマスクでは、着用者以外の第三者が見た際に、花粉症の主たる原因が杉等の花粉であることからの連想で、マスクの着用目的が花粉症対策であろうと解釈される可能性が高い。
【００１１】
日本は、テレビの天気予報で、毎日、花粉の飛散量予想を放映するほどの花粉症大国である。このことから、国民の多くには、花粉症に悩む患者が多いこと、花粉症が伝染する性質ものではないことが周知されていると思われる。
【００１２】
したがって、マスクの着用目的が花粉症対策であると理解するに至れば、少なくとも風邪、インフルエンザ等の感染症への罹患懸念は起こらず、例えば飲食店、物品販売店等の店員にとっては、顧客に対して感染症の心配を抱かせるかもしれないという懸念が減じられる。
【００１３】
逆に顧客から見ると、花粉症対策あるいは少なくとも感染性の病気では無い理由でマスクを着用していることが一目で判別出来、風邪、インフルエンザ等感染性の病気への罹患の心配や、不快感、不安感の発生が抑えられる。
【００１４】
上記のことは、顧客と店員という立場にとらわれず、日常的に遭遇するマスク着用者と他者間に於いても同様であり、互いの不安感、不快感の減殺に寄与出来ると思われる。
【図面の簡単な説明】
【００１５】
【図１】図１は、１本の杉や檜等、針葉樹をモチーフとした画像３を、口や鼻を覆う外側面１の一部に配置したマスクの平面図である。
【図２】図２は、口や鼻を覆う外側面１の全面に、複数の杉や檜等、針葉樹をモチーフとした画像３を配置したマスクの図面である。
【考案を実施するための形態】
【００１６】
この考案の実施形態を図１に示す。マスクの口や鼻を覆う外側面1に対して、杉や檜等、針葉樹をモチーフとした画像３を配置する。
【実施例】
【００１７】
図１のとおり、マスクの外側面１に杉、檜等、針葉樹をの画像３を配置してあれば、着用者が他者と対面した際、他者からは当該画像が速やかに且つ明確に確認出来る。
【００１８】
図２のように、マスクの口や鼻を覆う外側面１に対し、杉や檜等、針葉樹をモチーフした画像３を複数配置すれば、着用目的が花粉症対策であることを、より強力にアピール出来、且つファッション性を高めることも可能となる。
【産業上の利用可能性】
【００１９】
マスクは、ドラッグストア、コンビニ、スーパー等、あらゆる物販店で販売されている。また、製造メーカー、販売会社、販売名称など、極めて多様ではあるものの、ほぼ全ての商品について、その商品の特長として、ウイルス、粉塵等の防御精度が如何に高いか、あるいは形状が顔面にフィットして装着しやすいかということに主眼が置かれている。
【００２０】
このことから、製造者、販売者は、必ずしも自社製品と他社製品との差別化に成功しているとは言いがたい。また、顧客の側から見ると、商品間の差異が把握しづらいことから、結局は単価によって商品を選択する傾向が強くなると思われる。
【００２１】
このような状況の中で、本考案によるマスクの販売を行えば、風邪、インフルエンザ等の感染症以外の着用目的を有する顧客は、積極的に本考案によるマスクの購入を行うと考えられ、製造者、販売者共に、他社との比較優位を保持出来、販売額の増大が期待出来る。
【符号の説明】
【００２２】
１  マスクの口や鼻を覆う外側面
２  耳掛けひも
３  杉や檜等、針葉樹をモチーフとした画像
【図１】
0003211000.tif 000003
【図２】
0003211000.tif 000004
(57)【要約】      （修正有）【課題】形状が画一で、使用後はそのまま廃棄されていたクリアファイルに付加価値を与える衣服型クリアファイルを提供する。【解決手段】薄手のフィルムシート材料を使用して作成するクリアファイル１の一端をトムソン加工でスポーツ選手が着用する汎用的なユニフォームの片袖と前身ごろの半分を含んだシルエット形状に打ち抜き、かつトムソン加工により前出の片袖と前身ごろの半分のシルエット始点に折加工を施し、該部分Ｕをクリアファイルの蓋部として機能させる。ファイルに応援アイテムとしての価値を付与し、かつ、内容物の脱落を防止できる。【選択図】図２
0003210925.tif 000002
【実用新案登録請求の範囲】
【請求項１】
薄手のフィルムシート材料を使用して作成するクリアファイルの一端をトムソン加工でスポーツ選手が着用する汎用的なユニフォームの片袖と前身ごろの半分を含んだシルエット形状に打ち抜き、かつトムソン加工により前出の片袖と前身ごろの半分のシルエット始点に折加工を施すことで、該部分がクリアファイルの蓋部として機能することを特徴とする衣服型クリアファイル
【請求項２】
前記のフィルムシート材料に対する印刷は、インクジェット印刷ならびにオフセット印刷を用いてスポーツチームのユニフォームや法人の制服、学校法人の制服の図案を印刷した請求項１に記載の衣服型クリアファイル
【考案の詳細な説明】
【考案の詳細な説明】
【技術分野】
【０００１】本考案は主として、フイルムシート材料に対して多目的に使用できる利便性の高いノベルティー商品に関する。【０００２】従来のクリアファイルは、形状が画一でクリアファイルとしてだけの使用方法しかなかったため、使用後はそのまま廃棄されていた。【０００３】従来のクリアファイルは多目的の利用ができず、書類等を挟むクリアファイル以外の利便性がなかった。【０００４】  衣服型クリアファイルの材料シートの素材を再生樹脂材料もしくはトウモロコシ等から製造されるＰＬＡ《ポリ乳酸》を主原料としたプラスチック材料を使用して環境に配慮した商品として作成することができる。
【考案実施の形態】
【０００５】図１は本考案の衣服型クリアファイル（１）の完成図である。図１で衣服型クリアファイル（１）の左辺（ａ）は山折になっており、底辺（ｂ）（ｃ）は圧着されている。そのため左辺（ａ）と底辺（ｂ）（ｃ）は閉じた状態になっている。上辺（ｄ）（ｅ）と右辺（ｆ）は開口しているため、ここから書類等を出し入れすることができる。またスポーツチームのユニフォームの半身のシルエット状である（Ｕ）は折線（ｇ）により衣服型クリアファイル（１）の蓋としての役割を果たしている。
【０００６】図２は本考案の衣服型クリアファイル（１）の展開図である。図２で衣服型クリアファイル（１）の左辺（ａ）と折り線（ｇ）によって現れる面と、左辺（ａ）と右辺（ｆ）によって現れる面によってクリアファイルが構成されている。底辺（ｂ）（ｃ）は圧着されることで上辺（ｄ）（ｅ）と右辺（ｆ）を開口部とするクリアファイルが出来る。またこのとき、折線（ｇ）によって該物品の端部に配置されているスポーツチームのユニフォームの半身のシルエット状である（Ｕ）は衣服型クリアファイル（１）の蓋として機能している。
【０００７】図３は本考案の衣服型クリアファイル（１）の視図である。図３で底辺（ｂ）（ｃ）が圧着されることで上辺（ｄ）（ｅ）と右辺（ｆ）を開口部とするクリアファイルの状態であり、折線（ｇ）によって折線（ｇ）によって該物品の端部に配置されているスポーツチームのユニフォームの半身のシルエット状である（Ｕ）はこのとき左辺（ａ）と折り線（ｇ）によって現れる面に施された図案と連続することでスポーツチームのユニフォーム図案を表現している状態である。
【考案の効果】
【０００８】本考案は、クリアファイルとして利用でき、更にユニフォームの半身のシルエット部はクリアファイルの蓋部としても機能するので、形状のアピールと共に実用性を兼ね備えた考案である。
【図面の簡単な説明】
【図１】本考案の衣服型クリアファイル視図。
【図２】図１の衣服型クリアファイルを展開した際の視図。
【図３】図１の衣服型クリアファイルの正面図。
【符号の説明】１衣服型クリアファイル
ａ左辺
ｂ下辺
ｃ下辺
ｄ上辺
ｅ上辺
ｆ右辺
ｇ折線
Ｕユニフォームの半身のシルエット部
【図１】
0003210925.tif 000003
【図２】
0003210925.tif 000004
【図３】
0003210925.tif 000005
(57)【要約】【課題】  従来に無い新規な構造でボタンを使用してストラップ部材を簡易に着脱自在に連結できる留具を提供することにある。【解決手段】  本願考案に係るストラップ用留具は、ストラップ部材の他端５を着脱自在に接続するための接続孔７を設けた留具本体１と、留具本体１の外側へ付勢するように留具本体１に設けられたボタン２と、を備える。ボタン２には、ストラップ部材の他端５の先端部５ａを挿通するための挿通孔８を有し、その挿通孔８は付勢されたボタン２を押した状態で留具本体１の接続孔７と合致してストラップ部材の他端５を着脱自在とする一方で、ボタン２を押していない状態では留具本体１の接続孔７とずれてストラップ部材の他端５を係止することを特徴とする。【選択図】  図１
0003210651.tif 000002
【実用新案登録請求の範囲】
【請求項１】
ストラップ部材を着脱自在に連結するためのストラップ用留具であって、
ストラップ部材の一端を固定して接続するとともに、ストラップ部材の他端を着脱自在に接続するための接続孔を設けた留具本体と、
留具本体の外側へ付勢するように留具本体に設けられたボタンと、を備え、
ボタンには、留具本体と着脱自在に接続するストラップ部材の他端の先端部を挿通するための挿通孔を有し、その挿通孔は付勢されたボタンを押した状態で留具本体の接続孔と合致してストラップ部材の他端を着脱自在とする一方で、ボタンを押していない状態では留具本体の接続孔とずれてストラップ部材の他端を係止することを特徴としたストラップ用留具。
【請求項２】
ストラップ部材の他端の先端部に拡径された段差部を形成したことを特徴とする請求項１記載のストラップ用留具。
【請求項３】
請求項１又は２記載のストラップ用留具を備えたことを特徴とするストラップ。
【考案の詳細な説明】
【技術分野】
【０００１】
本願考案は、ネックストラップなどのストラップ部材を着脱自在に連結するためのストラップ用留具に関するものである。
【背景技術】
【０００２】
従来より、ネックストラップなどのストラップ部材を着脱自在に連結するためのストラップ用留具には種々のものがあるが、ボタンを使用した着脱自在な構造のものとしては、特許文献１に開示された留め具などがある（図４を参照）。
【０００３】
【特許文献１】特開平８−２５６８１０号公報
【考案の概要】
【考案が解決しようとする課題】
【０００４】
本願考案者は、従来に無い新規な構造でボタンを使用してストラップ部材を簡易に着脱自在に連結できる留具を提供すべく、鋭意開発・試験を行い、本願考案を完成するに至った。
【課題を解決するための手段】
【０００５】
本願考案の第１の考案は、ストラップ部材を着脱自在に連結するためのストラップ用留具であって、ストラップ部材の一端を固定して接続するとともに、ストラップ部材の他端を着脱自在に接続するための接続孔を設けた留具本体と、留具本体の外側へ付勢するように留具本体に設けられたボタンと、を備え、ボタンには、留具本体と着脱自在に接続するストラップ部材の他端の先端部を挿通するための挿通孔を有し、その挿通孔は付勢されたボタンを押した状態で留具本体の接続孔と合致してストラップ部材の他端を着脱自在とする一方で、ボタンを押していない状態では留具本体の接続孔とずれてストラップ部材の他端を係止することを特徴としたものである。
第２の考案は、ストラップ部材の他端の先端部に拡径された段差部を形成したことを特徴とする同ストラップ用留具である。
第３の考案は、上記第１又は第２の考案に係るストラップ用留具を備えたことを特徴とするストラップである。
【考案の効果】
【０００６】
本願考案によれば、以下のような効果を有する。
（１）本願考案は、ボタンを押すだけで簡単にストラップ部材の接続（連結）と接続解除（連結解除）を行うことができる。特に、ネックストラップ部材のような装着性（作業性を含む）や安定性（耐久性を含む）を要求されるストラップにおいては、ボタンを押すだけで簡単且つ確実にストラップ部材の着脱が行えるので、非常に利便性が高い。
（２）また、ストラップ部材の他端の先端部に拡径された段差部を形成したことで、その段差部がボタンを押していない状態で生じる留具本体の接続孔とボタンの挿通孔とのずれによって係止されて、ストラップ部材の接続状態（連結状態）をより確実なものとする。
【図面の簡単な説明】
【０００７】
【図１】本願考案に係るストラップ用留具を説明する説明図（１）。
【図２】本願考案に係るストラップ用留具を説明する説明図（２）。
【図３】本願考案に係るストラップ用留具を説明する説明図（３）。
【図４】従来例（特許文献１）を示す説明図。
【考案を実施するための形態】
【０００８】
本願考案の実施形態を図面に基づいて説明する。
図１の分解図に図示するように、本願考案に係るストラップ用留具は、留具本体１と、ボタン２と、裏蓋３と、固定側接続パーツ４と、着脱側接続パーツ５と、コイルばね６とからなっている。
【０００９】
留具本体１は、固定側接続パーツ４と図示するようなネジ締め等によって固定する一方で、着脱側接続パーツ５と着脱自在に接続するための接続孔７を設けている。
ボタン２は、裏蓋３との間に介在するコイルばねによって付勢された状態で留具本体１に収容されている。
【００１０】
また、ボタン２は、着脱側接続パーツ５の先端部５ａを挿通するための挿通孔８を有する。そして、この挿通孔８は付勢されたボタン２を押した状態で留具本体１の接続孔７と合致して着脱側接続パーツ５を着脱自在とする一方で、ボタン２を押していない状態では留具本体１の接続孔７とずれて着脱側接続パーツ５を係止する。
【００１１】
この時、着脱側接続パーツ５の先端部５ａに拡径された段差部５ｂを形成したことで、その段差部５ｂがボタン２を押していない状態で生じる留具本体１の接続孔７とボタン２の挿通孔８とのずれによって係止されて、着脱側接続パーツ５の接続状態（連結状態）をより確実なものとする。
【００１２】
図２及び図３は、本願考案に係るストラップ用留具の完成図である（図２は平面図、図３は一部断面図を含む側面図）。
図示するように（特に図３）、ボタン２が押されていない状態では、着脱側接続パーツ５の段差部５ｂが留具本体１の接続孔７とボタン２の挿通孔８とのずれた部分に当接することによって係止されている（＝ストラップ部材の接続状態・連結状態）。これが、ボタン２が押された状態では、留具本体１の接続孔７とボタン２の挿通孔８とのずれが無くなり（合致し）、着脱側接続パーツ５の段差部５ｂの係止が解消する（＝ストラップ部材の接続解除状態・連結解除状態）。すなわち、ストラップ部材が着脱自在になる。
【産業上の利用可能性】
【００１３】
本願考案は、ストラップ部材の全般に利用できるものであるが、特にネックストラップなどの装着性や安定性の要求されるストラップ部材の留具として、幅広く利用できるものである。
【符号の説明】
【００１４】
１  留具本体
２  ボタン
３  裏蓋
４  固定側接続パーツ
５  着脱側接続パーツ
５ａ  先端部
５ｂ  段差部
６  コイルばね
７  接続孔
８  挿通孔
９  紐
【図１】
0003210651.tif 000003
【図２】
0003210651.tif 000004
【図３】
0003210651.tif 000005
【図４】
0003210651.tif 000006
(57)【要約】      （修正有）【課題】着用が便利であり、構造が堅固であるとともに、容易に破損されなかったり、スクラッチに強い近視用サングラスを提供する。【解決手段】近視用サングラスは、近視眼鏡フレーム１と、サングラスレンズ枠２とを備え、近視眼鏡フレームのインナーリングには、第１溝が形成され、第１溝には、第１磁石モジュールが設置され、サングラスレンズ枠には、第２溝が形成され、第２溝の内には、第２磁石モジュールが設置され、サングラスレンズ枠は、第１磁石モジュールと第２磁石モジュールとの吸着力によって、近視眼鏡フレームにかけて設けられる。【選択図】図１
0003210661.tif 000002
【実用新案登録請求の範囲】
【請求項１】
近視眼鏡フレームと、サングラスレンズ枠とを備える近視用サングラスにおいて、
上記近視眼鏡フレームのインナーリングには、第１溝が形成されており、上記第１溝には、第１磁石モジュールが設置されており、
上記サングラスレンズ枠には、第２溝が形成されており、上記第２溝の内には、第２磁石モジュールが設置されており、
上記サングラスレンズ枠は、第１磁石モジュールと第２磁石モジュールとの吸着力によって、近視眼鏡フレームにかけて設けられることを特徴とする近視用サングラス。
【考案の詳細な説明】
【技術分野】
【０００１】
本考案は眼鏡に関するもので、具体的には、近視用サングラスに関するものである。
【背景技術】
【０００２】
近視である人々は近視眼鏡を着用して視覚を矯正しなければならず、夏のような太陽光の強い状況ではサングラスを着用することができなくて、強い光の目に対する刺激を避けられなくなる。
【０００３】
上記のような問題を解決するために、近視用サングラスを開発しており、普通のものとして、染色近視用サングラス、変色近視用サングラス、一体化近視用サングラス及び外部据え置き型近視用サングラス等がある。染色近視用サングラスは、透過率が低くて眼球疲労を増加し、視力にも影響を及ぼす。変色近視用サングラスは、価格が高くて広範に普及して使用されにくい。一体化近視用サングラスは、サングラス用レンズと近視用眼鏡が一つの眼鏡に設けられて、押し上げたり引き下げたりする動作で機能転換を遂行するものであるが、このようなメガネは正常な近視用眼鏡として使用するのは難しい。また、外部据え置き型近視用サングラスは、クランプを利用してサングラスを近視用眼鏡の外部に固定させるため、比較的に実用的であるが、眼鏡フレームの様式は多様で、ブリッジの幅、厚さなども互いに異なるので、クランプの挟持距離が広すぎる場合には、クランプと近視用眼鏡の結合が堅固でないため、サングラスが近視用眼鏡から離脱して破損しやすく、挟持距離が狭すぎる場合には、サングラスを着用できないだけでなく、クランプが近視用眼鏡のフレームにスクラッチを残す恐れがある。
【考案の概要】
【考案が解決しようとする課題】
【０００４】
本考案は、着用が便利で、構造が堅固であり、容易に破損されなかったり、スクラッチに強い近視用サングラスを提供する。
【課題を解決するための手段】
【０００５】
本考案の近視用サングラスは、近視眼鏡フレームとサングラスレンズ枠を含み、上記近視眼鏡フレームのインナーリングには、第１溝が形成されており、上記第１溝には、第１磁石モジュールが設置されており、上記サングラスレンズ枠には、第２溝が形成されており、上記第２溝の内には、第２磁石モジュールが設置されており、上記サングラスレンズ枠は、第１磁石モジュールと第２磁石モジュールとの吸着力によって、近視眼鏡フレームにかけて設けられる。
【考案の効果】
【０００６】
本考案の近視用サングラスは、磁石によって緊密に連結され、容易に離脱されず、着用が便利で、構造が堅固であるとともに、容易に破損されなかったり、スクラッチに強い。
【図面の簡単な説明】
【０００７】
【図１】本考案における近視用サングラスの構造を示す図である。
【考案を実施するための形態】
【０００８】
以下、図面及び実施例を合わせて本考案の実施するための形態に対して詳細に説明する。
【０００９】
近視用サングラスの製造方法は、近視眼鏡フレームの製造方法と、サングラスレンズ枠の製造方法を含む。
【００１０】
近視眼鏡フレームの製造方法は、
プラスチック材料をCNC彫刻機（CNC engraving and milling machine）に設置してインナーリングとアウトリングを彫刻するステップと、バレル研磨を行うステップと、インナーリングの内側に第１溝を形成するステップと、第１溝の内に第１磁石モジュールを設置し、樹脂接着剤を使用して第１溝を埋めるステップと、乾燥を行うステップと、研磨を行うステップと、を含む。これにより、近視眼鏡フレームが製造される。
【００１１】
サングラスレンズ枠の製造方法は、
第２溝が形成されている金属フレームを溶接して、眼鏡レンズ枠を構成するステップと、研磨を行うステップと、電気メッキを行うステップと、接着剤によって第２磁石モジュールを第２溝の内に接着するステップと、を含む。これにより、サングラスレンズ枠が製造される。
【００１２】
サングラスレンズ枠と近視眼鏡フレームは、第１磁石モジュールと第２磁石モジュールとの吸着力によって組み立てる。
【００１３】
製造した近視用サングラスは、磁石によって緊密に連結され、容易に離脱されず、着用が便利で、構造が堅固であるとともに、容易に破損されなかったり、スクラッチに強い。
【００１４】
図１に示すように、近視用サングラスは、近視眼鏡フレーム１と、サングラスレンズ枠２を備える。上記近視眼鏡フレーム１のインナーリングには、第１溝が形成されており、上記第１溝には、第１磁石モジュール１１が設置されており、上記第１磁石モジュール１１は、第１溝中に充填されている樹脂接着剤によって第１溝に固定される。上記サングラスレンズ枠２には、第２溝が形成されており、上記第２溝には、第２磁石モジュールが設置されており、上記第２磁石モジュールは、接着剤によって第２溝の内に固定される。上記サングラスレンズ枠２は、第１磁石モジュールと第２磁石モジュールとの吸着力によって、近視眼鏡フレーム１にかけて設けられる。
【００１５】
以上、実施例を通じて本考案の技術方案を説明したが、本考案の保護範囲はこれらに制限されない。以上、好ましい実施例を通じて本考案の技術方案に対して詳細に説明したが、該当分野の当業者は、本考案の思想を脱しない範囲で本考案の技術方案に対していろいろな変更を行うことができ、これらのいずれも本考案と実質的に同一なものであり本考案の範囲に属する。
【符号の説明】
【００１６】
１、近視眼鏡フレーム    ２、サングラスレンズ枠    １１、第１磁石モジュール
【図１】
0003210661.tif 000003